【手続補正書】
【提出日】平成16年11月12日(2004.11.12)
【手続補正１】
【補正対象書類名】明細書
【補正対象項目名】全文
【補正方法】変更
【補正の内容】
【書類名】  明細書
【発明の名称】    回路装置
【特許請求の範囲】
【請求項１】  特にデジタル信号の電子的処理及び／又は記憶用の回路装置であって、ヒューズと呼ばれる、当該回路装置の所定のパーツを永久にスイッチオフする少なくとも一つのプログラマブルスイッチ装置を有し、当該ヒューズの内少なくとも一つが多段構成を有する、回路装置。
【請求項２】  特にデジタル信号の電子的処理及び／又は記憶用の回路装置であって、「ヒューズ」と呼ばれる、当該回路装置の所定のパーツを永久にスイッチオフする少なくとも一つのプログラマブルスイッチ装置を有し、当該ヒューズの内少なくとも一つが多段構成を有する、回路装置によって特徴付けられるマイクロプロセッサ。
【請求項３】  特にデジタル信号の電子的処理及び／又は記憶用の回路装置であって、「ヒューズ」と呼ばれる、当該回路装置の所定のパーツを永久にスイッチオフする少なくとも一つのプログラマブルスイッチ装置を有し、当該ヒューズの内少なくとも一つが多段構成を有する、回路装置によって特徴付けられるチップカードで使用される「スマートカードコントローラ」と呼ばれるマイクロプロセッサ。
【発明の詳細な説明】
【０００１】
【発明の属する技術分野】
本発明は回路装置に関する。本発明は特に、デジタル信号の電子的処理及び／又は記憶用の回路装置に関する。
【０００２】
【従来の技術】
単独の回路で、デジタル信号の電子的処理及び／又は記憶用の回路装置の設計及び製造に関する基礎が、これから導出されるいわゆる製品群を構成するおそらく多数の変形例のために得られ、また、これらの変形例を最低限の数の部品で、すなわち短期間で製造することができるようにするためには、この新しい製品群のいわゆる最大構成が上記の種類の単独回路構成として規定され、ここから、異なった特別な製品がこの製品群のメンバー又はサブグループとして、この特別な製品に要求されない最大構成の部品又は部品グループがプログラマブルスイッチ装置(ヒューズと呼ばれる)により永久に停止状態にスイッチされることにより、いわゆる派生品として導出されることができる。この場合、多機能型で簡易、且つ多様に変更可能な、試作品の製造が、対応する派生品のおそらく簡単で信頼性のある製造と共に、目標とされる。
【０００３】
【発明が解決しようとする課題】
本発明の目的は、多機能型で変更可能な試作品の製造と、これに対応する派生品のおそらく簡単で信頼性のある製造との両方を可能にする方法を提供することである。
【０００４】
【課題を解決するための手段】
本発明によれば、この目的は、特にデジタル信号の電子的処理及び／又は記憶用の回路装置であって、当該回路装置の所定のパーツを永久にスイッチオフする少なくとも一つのプログラマブルスイッチ装置(ヒューズと呼ばれる)を有し、当該ヒューズの内少なくとも一つが多段構成を有することを特徴とする回路装置により解決される。
【０００５】
本発明の根本的原理は、前記派生品を構成するのに必要とされるヒューズが多段構成を有することである。複数のこのようなヒューズを連続した段で組み合わせる結果は、これらのヒューズのそれぞれの組み合わせの種類から得られる。最も融通の利くヒューズが最も低い優先順位を有する。これの影響は最近接の融通の利くヒューズにより無効にされてもよい。
【０００６】
この観点では、ヒューズは、スマートカードコントローラの任意の機能を保証するために、回路のある部分をロックするために用いられるということに注意するべきである。例えば製造制御段の内の時々必要になる機能と、例えば製品群から派生品を構成するという永久にスイッチオフされる機能との間で、区別がつけられる。このようなヒューズは、例えばEEPROM記憶装置により形成される「NVヒューズ」、又は、(好適には集積回路の半導体結晶上の)回路装置の特別な配線若しくは特別なROMメモリセルにより形成される「ハードワイヤードヒューズ(hard wired fuses)」である。
【０００７】
NVヒューズは、構成の高い融通性、及び、異なった派生品の試作品の高速な製造という利点を有する。欠点は、大量生産の際の製造制御段における構成に必要とされる部品の比例的に大きな数である。
【０００８】
ハードワイヤードヒューズは、大量生産の際に多数の構成部品を必要としないという利点がある。しかし、欠点は、各派生品ごとに別個のマスクが必要であるということである。結果として、ハードワイヤードヒューズは極めて融通が利かないため、異なった派生品の試作品の高速な製造が不可能である。
【０００９】
【発明の実施の形態】
本発明の実施例が唯一の図(図１)に示され、以下で説明される。
【００１０】
例示により、プログラム可能なフリップフロップセル、EEPROMセル及びROMセルから構成される三段ヒューズによる機能が説明される。
【００１１】
構成の最も融通の利く変形例は、プログラマブルフリップフロップセル(「フリップフロップヒューズ」又は「FFヒューズ」)である。FFヒューズの状態は、ロックするべき機能について、EEPROMセル(「EEPROMヒューズ」)及びROMセル(「ROMヒューズ」)がこの機能を解放する限り、スイッチオンするかスイッチオフするかを決定する。これにより、構成はユーザソフトウェアにより製造されることが可能になり、これは、このFFヒューズが全てのヒューズの変形例の内最も融通が利くことを表す。この変形例は、例えば、本発明による回路装置のユーザ又はオペレータが、製品群派生品から所望の最適な構成を見つけ、引き続きこの構成を新しい設計として構成することができるようにするのに使用することができる。
【００１２】
EEPROMヒューズは、組み合わせるべき又はロックされるべきこの機能について、ROMヒューズがこの機能を解放したとき、スイッチオンするかスイッチオフするかを決定する。EEPROMヒューズが作動されるとき、FFヒューズのスイッチ状態は無関係である。例えば、任意の派生品の製造制御段の範囲内のテストプログラムによる最終測定において、製造者は、EEPROMヒューズ若しくはEEPROMヒューズの列、又は、もうエンドカスタマーにより変更されることができない、このように用いられた全てのEEPROMヒューズを特別にプログラムすることにより、任意の派生品を製造することができる。しかし、製造者は依然、半導体回路の機械的製造ステージ及び化学的製造ステージで得られるように、同一の半導体製品からのテストプログラムにより異なった派生品を発生させることができる。正しい派生品を発生させるにはテスト中に慎重な注意を払わなければならず、また、より多数の部品が必要であり、これは欠点であるかもしれない。
【００１３】
任意の派生品のカスタマーが自分のROMコードを、つまり、任意の派生品に適応されたROMヒューズの特別なプログラムを、注文すると、対応するROMヒューズがROMコードと共にプログラムされる。ROMヒューズはEEPROMヒューズ及びFFヒューズに対して優先性を有する。これにより、派生品は明白に規定される。ROMヒューズに従ってスイッチをオフにされた回路装置の機能は、もう作動させられない。
【００１４】
本発明による回路装置が、優先性を有する追加のプログラマブルスイッチ装置(ここでは「マスターヒューズ」と呼ばれる)を有し、当該装置が上述のヒューズの列の最終段階までこれらのヒューズの個別のセルと全く同様に作製されているとき、派生品は、まだオープンなヒューズについても規定された変更不可能なスイッチ状態及び操作状態にリセットされる(ここでは「フリーズした(frozen)」とも呼ばれる)こともできる。これまで説明された例では、これは、マスターヒューズはEEPROMヒューズを有する部分とROMヒューズを有する部分とにより構成されるということを意味する。マスターヒューズのEEPROMヒューズがセットされると、個別のFFヒューズが認めても、FFヒューズはもうプログラムされることができない。マスターヒューズのROMヒューズがセットされると、「オープンな」EEPROMヒューズはもうプログラムされることができない。これにより、個別の派生品の構成は、いかなる段階においても「フリーズ」されることができるということが保証される。
【００１５】
本発明による回路装置の追加の論理素子による、わずかだけより高い表面積の必要性という小さな欠点は、ヒューズの明白に圧倒的な利点、すなわち回路構成及び動作の高い融通性、並びに、構成に大きな労力を伴わないハードワイヤードヒューズにより埋め合わせられる。これらの利点は、本発明による回路装置のマスクのセットと組み合わされる。
【図面の簡単な説明】
【図１】  本発明の実施例の図。